(57)【要約】【課題】室内空間の有効活用が可能で、取り付け・設置が容易で、リモコンおよび手動にて天井から床まで、任意の位置に昇降しかつ停止でき、コンパクトな駆動装置を備えたキャビネット。【解決手段】駆動装置により、左右２ヶ所のテープ３が巻取られ、シューター４とキャビネット５０が、シュートセット上５とシュートセット下６によって、滑らかで省音化され、任意の位置に昇降しかつ停止する。【選択図】      図２
2004337557.tif 000002
【特許請求の範囲】
【請求項１】
書籍、プリンター、モニター等の収納できるキャビネットと、テープを巻取り牽引する駆動装置と、シューターとシュートセットを有することを特徴とする、昇降式キャビネット。
【請求項２】
電動リモコン式は、電磁ブレーキ・減速ギヤユニット付モーターを内蔵した動力伝達パイプに取り付けたプーリーにテープを巻取る駆動装置で、シューターとシュートセットを用い、キャビネットを昇降、停止させることを特徴とする【請求項１】の昇降式キャビネット。
【請求項３】
手動式はチェーンを引き、ブレーキ付のギヤユニットで、動力伝達バーを駆動させる駆動装置で、プーリーにテープを巻取り、シューターとシュートセットでキャビネットを昇降し、停止することを特徴とする【請求項１】の昇降式キャビネット。
【請求項４】
電動リモコン式と手動式の駆動装置を、それぞれ自立型スタンドに設置して、プーリーにテープを巻取り、シューターとシュートセットでキャビネットを自立型スタンドで、昇降し、停止することを特徴とする【請求項１】の昇降式キャビネット。
【請求項５】
「シュートセット上」の樹脂製ベアリングがキャビネット昇降中、キャビネットの上部の前傾および左右の振れを防ぎ、「シュートセット下」の樹脂製ベアリングはキャビネット昇降中、キャビネット下部の後退および左右の振れを防止することを特徴とする【請求項１】の昇降式キャビネット。
【発明の詳細な説明】
【０００１】
【発明の属する技術分野】本発明は、壁面及び、自立型スタンドに取り付け昇降させる電動リモコン式と手動式の駆動装置を持つ昇降式キャビネットに関する。
【０００２】
【従来の技術】
【特許文献１】（特開平１１−３０９０２６号、図６参照）は、装置が大型であり、キャビネットの上部全体に駆動装置があり、天井に取り付ける構造である。また、摺動部が面接触である。昇降用のワイヤーは１本である。
【特許文献２】（特開２０００−３００３６３号、図７参照）は、摺動部があり面接触である。駆動装置部が大きく、ラック＆ピニオン、ボールネジ等の高コストで大掛かりな部品を使っている。
【特許文献３】（特開平６−４６９２６号、図８参照）は、摺動部があり面接触である。１本のワイヤーで吊下げている。
【特許文献１】
【特許文献２】
【特許文献３】共に、従来の昇降式キャビネットの壁面ガイドには、摺動部があり面接触である。面接触は油切れを起こし、錆や騒音も発生させる。使用目的もトイレやキッチンを意識した物であり移動範囲が限定されていた。また、駆動装置部が大きく、ラック＆ピニオン、ボールネジ等の高コストで大掛かりな部品を使った物や、１本のワイヤーで吊下げ、切れた時外れた時を考慮していない物や収納物の重量バランスを考慮していない物であった。更に、設置場所が壁や天井に限定されている。
【０００３】
【発明が解決しようとする課題】本発明は、係る事実を考慮し、壁面のガイドレールの摺動部を無くして、より滑らかで省音化し、天井から床までの自由な移動範囲を実現すること。駆動装置をコンパクトにし、落下等に対する安全度を高め、壁付き型や、設置場所を選ばない自立式スタンド付き型の昇降式キャビネットを提供することを課題とする。
【０００４】
【課題を解決するための手段】摺動部を無くすために、キャビネットのシューターとの係合部に樹脂製のベアリングを使用した。
【０００５】昇降式キャビネットの上下の移動範囲を天井から床まで拡大し、任意の位置で停止出来る駆動装置を採用した。
【０００６】駆動装置をコンパクトにし、大掛かりな部品を排除した。
【０００７】左右のシューターの中に巻取り牽引用テープを内蔵し、片方が切れても落下しない構造にし、上限および下限のストッパーの位置を任意に移動でき、好む位置で固定可能な形態で、シンプルで安全を優先するものとした。
【０００８】壁や天井に固定しなければならなかったシューター形態だけでなく、壁や天井から離れ、自立式スタンドに組込んだ昇降式キャビネットも提供できる。
【０００９】
【発明の実施の形態】図１〜図３は、本発明の第一実施形態を示している。
壁面の天井と床にシューター４を取り付け、駆動装置を駆動させ、キャビネット５０の上の左右に取り付いているシュートセット５と下の左右に取り付いているシュートセット６で、シューター４に沿って、天井から床まで任意の位置まで移動し停止させることができる。更に、安全のため、任意に移動出来、好む位置で固定可能な上限ストッパー７と下限ストッパー８を設けた。
【００１０】図２は、本発明の第二実施形態を示している。
電磁ブレーキ付モーター１５を内蔵した動力伝達パイプ２に取り付けたプーリー１にテープ３を巻取る駆動装置を電動リモコン９により駆動させ、壁面の天井と床に取り付けたシューター４とシュートセット５とシュートセット６を用い、キャビネット５０を昇降させ、任意の位置に停止させることができる。更に、安全のため、任意に移動出来、好む位置で固定可能な上限ストッパー７と下限ストッパー８を設けた。
【００１１】図３は、本発明の第三実施形態を示している。
上昇用チェーン２９ａまたは下降用チェーン２９ｂを手で引き、ブレーキ付のギヤユニット３０で、動力伝達バー２２を駆動させ、プーリー２１にテープ３を巻取り、シューター４とシュートセット５とシュートセット６を用い、キャビネット５０を手動で任意の位置に昇降・停止させることができる。更に、安全のために、任意に移動し好む位置で固定可能な上限ストッパー７と下限ストッパー８を設けた。
【００１２】図４は、本発明の第四実施形態を示している。
第２実施形態の駆動装置と第３実施形態の駆動装置を、アッパーブリッジ５１部に取り付け、それぞれ自立型スタンド４０に設置して、電動リモコン式の駆動装置の場合はプーリー１、手動式の駆動装置の場合はプーリー２１にテープ３を巻取り、シューター４とシュートセット５とシュートセット６でキャビネット５０を任意の場所で、任意の位置に昇降・停止出来る。更に、安全のために任意に移動出来、好む位置で固定可能な上限ストッパー７と下限ストッパー８を設けたことを特徴とする。
【００１３】図５は、本発明の各形態のシュートセット上およびシュートセット下を示している。樹脂製ベアリングＡで前後、ＳＰＣ−１で左右の振れを防ぎ、樹脂製ベアリングＢで後退、ＳＰＣ−２で左右の振れを防止する事を特徴とする。
【００１４】
【発明の効果】本発明に係る昇降式キャビネットは、電動リモコン式および手動式にて、天井から床まで任意の位置に昇降し停止出来るキャビネットであり、取り付け・設置が容易になり、室内空間の有効活用が可能である。使用する人の高さまでキャビネットを昇降させ、収納物の出し入れが出来るので、車椅子の人や老人や女性にも使いやすい。また、寝たままの状態で、リモコン装置により、テレビや本棚、用具入れなど使用し易い位置に昇降して利用できる。またオフィス等で、自立型スタンドを利用すれば、パソコン部材や資料、道具類を収納することも出来、机の上部空間を有効に使える。
【図面の簡単な説明】
【図１】本発明の第一実施形態に係る昇降式キャビネットの電動リモコン式が設置された部屋を示す説明図である。
【図２】本発明の第二実施形態に係る昇降式キャビネットの、電動リモコン式の下降途中を示す正面図と側面図と部分拡大正面図と部分拡大側面図である。
【図３】本発明の第三実施形態に係る昇降式キャビネットの、手動式の下降途中を示す正面図と側面図と部分拡大正面図と部分拡大平面図である。
【図４】本発明の第四実施形態に係る昇降式キャビネットの、自立スタンドにキャビネットを設置し、電動リモコン式や手動式のチェーンを取り付けた時のイメージを理解しやすくする、正面図と側面図である。
【図５】本発明の各形態のシュートセット上およびシュートセット下を示している部分拡大図である。
【図６】従来の装置の断面図（特開平１１−３０９０２６号）
【図７】従来の装置の斜視図（特開２０００−３００３６３号）
【図８】従来の装置の斜視図（特開平６−４６９２６号）
【符号の説明】
１      プーリー                      ５１    アッパーブリッジ
２      動力伝達パイプ
３      テープ
４      シューター
５      シュートセット上
６      シュートセット下
７      上限ストッパー
８      下限ストッパー
９      リモコン送信器
１０    内蔵コンセント
１１    パイプブラケット
１２    ブラケットホルダー
１３    ケーブル
１４    電源・リモコン受信器
１５    電磁ブレーキ・減速ギヤユニット付モーター
１６    樹脂製ベアリングＡ
１７    樹脂製ベアリングＢ
１８    ＳＰＣ−１
１９    ＳＰＣ−２
２１    手動用プーリー
２２    動力伝達バー
２３    ベースプレート（１）
２４    ベースプレート（２）
２５    ピアノ線
２９ａ  上昇用チェーン
２９ｂ  下降用チェーン
３０    ギヤユニット・ブレーキ付
５０    キャビネット
【図１】
2004337557.tif 000003
【図２】
2004337557.tif 000004
【図３】
2004337557.tif 000005
【図４】
2004337557.tif 000006
【図５】
2004337557.tif 000007
【図６】
2004337557.tif 000008
【図７】
2004337557.tif 000009
【図８】
2004337557.tif 000010